(57)【要約】【課題】顧客から預かった硬貨の識別計数をより迅速に行うことができる硬貨釣銭機を提供する。【解決手段】硬貨釣銭機１０は、筐体１２と、１または複数の硬貨を筐体１２の外部から受け入れる受入部分１４ａおよび受入部分１４ａに受け入れられた硬貨を筐体１２の内部に１枚ずつ繰り込む繰込機構１４ｂ、１４ｃを有する第１の硬貨投入部１４とを備えている。また、筐体１２の外部から硬貨が１枚ずつ投入されるよう構成された第２の硬貨投入部１６が追加的に設けられている。識別部２０は、第１の硬貨投入部１４に投入された硬貨に加えて、第２の硬貨投入部１６に投入された硬貨の識別計数を行うようになっている。【選択図】図３
2010079389.tif 000002
【特許請求の範囲】
【請求項１】
筐体と、
硬貨を前記筐体の外部から受け入れる受入部分および前記受入部分に受け入れられた硬貨を前記筐体の内部に１枚ずつ繰り込む繰込機構を有する第１の硬貨投入部と、
前記筐体の外部から硬貨が１枚ずつ投入されるよう構成された第２の硬貨投入部と、
前記筐体の内部に設けられ、前記第１の硬貨投入部の前記繰込機構により前記筐体の内部に繰り込まれた硬貨を搬送する搬送部と、
前記第１の硬貨投入部に投入された硬貨および前記第２の硬貨投入部に投入された硬貨の識別計数をそれぞれ行う識別部と、
前記識別部による硬貨の計数結果に基づいて釣銭としての硬貨を出金する硬貨払出部と、
を備えたことを特徴とする硬貨釣銭機。
【請求項２】
前記識別部は、前記搬送部に介設され、この搬送部により搬送される硬貨の識別計数を行うようになっており、
前記第２の硬貨投入部は、この第２の硬貨投入部に投入された硬貨が前記搬送部における前記第１の硬貨投入部と前記識別部との間に送られるよう構成されていることを特徴とする請求項１記載の硬貨釣銭機。
【請求項３】
前記第２の硬貨投入部に投入された硬貨は、前記搬送部における前記識別部の近傍に送られるようになっていることを特徴とする請求項２記載の硬貨釣銭機。
【請求項４】
前記第２の硬貨投入部は、この第２の硬貨投入部に投入された硬貨が前記第１の硬貨投入部の前記受入部分に送られるよう構成されており、
前記識別部は、前記搬送部に介設され、当該搬送部により搬送される硬貨の識別計数を行う第１の識別部分と、前記第２の硬貨投入部の近傍に設けられ、当該第２の硬貨投入部に投入された硬貨の識別計数を行う第２の識別部分とを有することを特徴とする請求項１記載の硬貨釣銭機。
【請求項５】
前記第１の硬貨投入部の受入部分を開閉自在に塞ぐ蓋部を更に備え、
前記第２の硬貨投入部は前記蓋部に設けられており、この第２の硬貨投入部は、前記蓋部が前記受入部分を塞ぐような閉止位置にあるときに当該第２の硬貨投入部に投入された硬貨が前記第１の硬貨投入部の前記受入部分に送られるよう構成されており、
前記識別部は、前記搬送部に介設され、当該搬送部により搬送される硬貨の識別計数を行う第１の識別部分と、前記蓋部に設けられ、前記第２の硬貨投入部に投入された硬貨の識別計数を行う第２の識別部分とを有することを特徴とする請求項１記載の硬貨釣銭機。
【請求項６】
前記蓋部は、前記第１の硬貨投入部の受入部分を塞ぐような閉止位置と当該受入部分を開く開口位置との間で摺動自在となっているシャッター部材からなり、
前記シャッター部材が開口位置にあるときに硬貨が前記筐体の外部から前記第１の硬貨投入部の前記受入部分に受け入れられ、前記シャッター部材が閉止位置にあるときに前記筐体の外部から硬貨が１枚ずつ前記第２の硬貨投入部に投入されるようになっていることを特徴とする請求項５記載の硬貨釣銭機。
【請求項７】
前記蓋部は、前記第１の硬貨投入部の受入部分を塞ぐような閉止位置と当該受入部分を開く開口位置との間で移動自在となっており蝶番により前記筐体に取り付けられた扉部材からなり、
前記扉部材が開口位置にあるときに硬貨が前記筐体の外部から前記第１の硬貨投入部の前記受入部分に受け入れられ、前記扉部材が閉止位置にあるときに前記筐体の外部から硬貨が１枚ずつ前記第２の硬貨投入部に投入されるようになっていることを特徴とする請求項５記載の硬貨釣銭機。
【請求項８】
前記第２の硬貨投入部に硬貨が投入されたときに、前記第１の識別部分による硬貨の識別計数の結果と、前記第２の識別部分による硬貨の識別計数の結果とが一致しているか否かが判断されるようになっていることを特徴とする請求項４乃至７のいずれか一項に記載の硬貨釣銭機。
【請求項９】
前記第２の硬貨投入部に硬貨が投入されたときに、当該第２の硬貨投入部から前記第１の硬貨投入部の前記受入部分に送られて当該受入部分で保留された硬貨は、前記第１の硬貨投入部に硬貨繰込開始信号が送られたときに前記繰込機構によって前記筐体の内部に１枚ずつ繰り込まれるようになっていることを特徴とする請求項４乃至８のいずれか一項に記載の硬貨釣銭機。
【発明の詳細な説明】
【技術分野】
【０００１】
本発明は、筐体の内部に硬貨が投入され、この投入された硬貨を識別計数するとともに釣銭として硬貨を出金する硬貨釣銭機に関し、とりわけ、顧客から預かった硬貨の識別計数をより迅速に行うことができる硬貨釣銭機に関する。
【背景技術】
【０００２】
スーパーマーケットやコンビニエンスストア等のレジには、ＰＯＳシステム（販売時点情報管理システム）等の上位装置に接続された紙幣処理装置や硬貨処理装置が導入されている（例えば、特許文献１等参照）。概して、紙幣処理装置および硬貨処理装置は併設されている。特許文献１に開示される硬貨処理装置は、硬貨投入口に投入された硬貨を一時的に保留してから金種別に硬貨収納部に収容するとともに硬貨払出口に釣銭として硬貨を払い出すようになっている。ここで、特許文献１に開示される硬貨処理装置としては、受け取った硬貨を釣銭として再利用することができるリサイクルタイプのものが用いられている。
【０００３】
より具体的には、特許文献１に開示される硬貨処理装置において、硬貨投入口に投入された硬貨は搬送ベルトにより筐体の内部に搬送される。硬貨投入口には規制ローラが設けられており、この規制ローラにより硬貨投入口に投入された硬貨が１枚ずつ筐体の内部に繰り込まれるようになっている。搬送ベルトで１枚ずつ搬送される硬貨は識別部により識別計数される。
【０００４】
【特許文献１】特開２００６−３０９４６７号公報
【発明の開示】
【発明が解決しようとする課題】
【０００５】
このように、従来の硬貨処理装置では、顧客から預かった硬貨が硬貨投入口に一度に投入され、硬貨投入口から硬貨が１枚ずつ筐体の内部に繰り込まれ、この繰り込まれた硬貨の識別計数が識別部により行われるようになっている。そして、硬貨処理装置による硬貨の識別結果および紙幣処理装置による紙幣の計数結果と、実際の購入品の合計金額とにより釣銭額が算出され、釣銭としての硬貨が硬貨払出口に払い出される。
【０００６】
しかしながら、硬貨投入口に一度に投入された複数の硬貨は、非整列状態から１枚ずつ整列状態にされて筐体の内部に繰り込む必要があるため、識別部により識別計数されるまでに時間がかかるという問題があった。とりわけ、顧客から預かった硬貨の枚数が少ない場合は、硬貨投入口で硬貨が立った状態となって回転し、直ぐに筐体の内部に繰り込まれない場合があり、顧客にとって待ち時間が長く感じられるという問題がある。
【０００７】
本発明は、このような点を考慮してなされたものであり、追加的に設けられた第２の硬貨投入部に硬貨を１枚ずつ投入することにより、第２の硬貨投入部に投入された硬貨をすぐに識別部により識別計数することができ、このため、より迅速に硬貨の識別計数を行うことができる硬貨釣銭機を提供することを目的とする。
【課題を解決するための手段】
【０００８】
本発明の硬貨釣銭機は、筐体と、硬貨を前記筐体の外部から受け入れる受入部分および前記受入部分に受け入れられた硬貨を前記筐体の内部に１枚ずつ繰り込む繰込機構を有する第１の硬貨投入部と、前記筐体の外部から硬貨が１枚ずつ投入されるよう構成された第２の硬貨投入部と、前記筐体の内部に設けられ、前記第１の硬貨投入部の前記繰込機構により前記筐体の内部に繰り込まれた硬貨を搬送する搬送部と、前記第１の硬貨投入部に投入された硬貨および前記第２の硬貨投入部に投入された硬貨の識別計数をそれぞれ行う識別部と、前記識別部による硬貨の計数結果に基づいて釣銭としての硬貨を出金する硬貨払出部と、を備えたことを特徴とする。
【０００９】
このような硬貨釣銭機によれば、１または複数の硬貨を筐体の外部から受け入れるとともにこの受け入れられた硬貨を筐体の内部に１枚ずつ繰り込む第１の硬貨投入部の他に、筐体の外部から硬貨が１枚ずつ投入されるよう構成された第２の硬貨投入部が追加的に設けられており、識別部は、第１の硬貨投入部に投入された硬貨に加えて、第２の硬貨投入部に投入された硬貨の識別計数を行うようになっている。このため、例えば顧客から預かった硬貨の枚数が少ない場合には、この硬貨を第２の硬貨投入部に１枚ずつ投入することにより、第２の硬貨投入部に投入された硬貨をすぐに識別部により識別計数することができる。ここで、複数の硬貨を一度に受け入れるとともにこの受け入れられた硬貨を繰込機構により１枚ずつ筐体の内部に繰り込むような第１の硬貨投入部に硬貨を投入する場合と比較して、第２の硬貨投入部に硬貨を投入した場合には、非整列状態にある複数の硬貨を繰込機構により１枚ずつ筐体の内部に繰り込むための時間を省くことができる分、より迅速に識別部により硬貨の識別計数を行うことができる。
【００１０】
本発明の硬貨釣銭機においては、前記識別部は、前記搬送部に介設され、この搬送部により搬送される硬貨の識別計数を行うようになっており、前記第２の硬貨投入部は、この第２の硬貨投入部に投入された硬貨が前記搬送部における前記第１の硬貨投入部と前記識別部との間に送られるよう構成されていることが好ましい。
【００１１】
この場合、前記第２の硬貨投入部に投入された硬貨は、前記搬送部における前記識別部の近傍に送られるようになっていることがより好ましい。
【００１２】
本発明の硬貨釣銭機においては、前記第２の硬貨投入部は、この第２の硬貨投入部に投入された硬貨が前記第１の硬貨投入部の前記受入部分に送られるよう構成されており、前記識別部は、前記搬送部に介設され、当該搬送部により搬送される硬貨の識別計数を行う第１の識別部分と、前記第２の硬貨投入部の近傍に設けられ、当該第２の硬貨投入部に投入された硬貨の識別計数を行う第２の識別部分とを有することが好ましい。
【００１３】
本発明の硬貨釣銭機においては、前記第１の硬貨投入部の受入部分を開閉自在に塞ぐ蓋部を更に備え、前記第２の硬貨投入部は前記蓋部に設けられており、この第２の硬貨投入部は、前記蓋部が前記受入部分を塞ぐような閉止位置にあるときに当該第２の硬貨投入部に投入された硬貨が前記第１の硬貨投入部の前記受入部分に送られるよう構成されており、前記識別部は、前記搬送部に介設され、当該搬送部により搬送される硬貨の識別計数を行う第１の識別部分と、前記蓋部に設けられ、前記第２の硬貨投入部に投入された硬貨の識別計数を行う第２の識別部分とを有することが好ましい。
【００１４】
この場合、前記蓋部は、前記第１の硬貨投入部の受入部分を塞ぐような閉止位置と当該受入部分を開く開口位置との間で摺動自在となっているシャッター部材からなり、前記シャッター部材が開口位置にあるときに硬貨が前記筐体の外部から前記第１の硬貨投入部の前記受入部分に受け入れられ、前記シャッター部材が閉止位置にあるときに前記筐体の外部から硬貨が１枚ずつ前記第２の硬貨投入部に投入されるようになっていることがより好ましい。
【００１５】
あるいは、前記蓋部は、前記第１の硬貨投入部の受入部分を塞ぐような閉止位置と当該受入部分を開く開口位置との間で移動自在となっており蝶番により前記筐体に取り付けられた扉部材からなり、前記扉部材が開口位置にあるときに硬貨が前記筐体の外部から前記第１の硬貨投入部の前記受入部分に受け入れられ、前記扉部材が閉止位置にあるときに前記筐体の外部から硬貨が１枚ずつ前記第２の硬貨投入部に投入されるようになっていてもよい。
【００１６】
上述のような硬貨釣銭機においては、前記第２の硬貨投入部に硬貨が投入されたときに、前記第１の識別部分による硬貨の識別計数の結果と、前記第２の識別部分による硬貨の識別計数の結果とが一致しているか否かが判断されるようになっていることがより好ましい。
【００１７】
また、上述のような硬貨釣銭機においては、前記第２の硬貨投入部に硬貨が投入されたときに、当該第２の硬貨投入部から前記第１の硬貨投入部の前記受入部分に送られて当該受入部分で保留された硬貨は、前記第１の硬貨投入部に硬貨繰込開始信号が送られたときに前記繰込機構によって前記筐体の内部に１枚ずつ繰り込まれるようになっていることがより好ましい。
【発明の効果】
【００１８】
本発明の硬貨釣銭機によれば、顧客から預かった硬貨の識別計数をより迅速に行うことができる。
【発明を実施するための最良の形態】
【００１９】
第１の実施の形態
以下、図面を参照して本発明の第１の実施の形態について説明する。ここで、図１乃至図３は、本実施の形態に係る硬貨釣銭機を示す図である。このうち、図１は、本実施の形態による硬貨釣銭機の構成を示す斜視図であり、図２は、図１に示す硬貨釣銭機の内部の構成を示す構成図である。また、図３は、図１に示す硬貨釣銭機における第１の硬貨投入部、第２の硬貨投入部、搬送部および識別部の構成を示す概略側面図である。
【００２０】
本発明における硬貨釣銭機は、概して、紙幣釣銭機と併設されている。そして、硬貨釣銭機および紙幣釣銭機はそれぞれ例えばＰＯＳレジスタ（販売時点情報管理機能を有する金銭登録機）からなる制御端末機に接続されている。制御端末機は、商品の購入情報を登録するとともに、硬貨釣銭機や紙幣釣銭機に対して硬貨や紙幣の入出金処理を行わせるようになっている。制御端末機はホストサーバに接続されており、この制御端末機からホストサーバに売上情報等が送信されるようになっている。
【００２１】
図１等に示すように、本実施の形態に係る硬貨釣銭機１０は、略直方体形状の筐体１２と、筐体１２の外部から硬貨がそれぞれ投入される第１の硬貨投入部１４および第２の硬貨投入部１６と、釣銭としての硬貨を出金する硬貨払出部３０とを備えている。
【００２２】
第１の硬貨投入部１４は、１または複数の硬貨を筐体１２の外部から受け入れるとともにこの受け入れられた硬貨を筐体１２の内部に１枚ずつ繰り込むようになっている。より具体的には、図３に示すように、第１の硬貨投入部１４は、１または複数の硬貨Ｃを筐体１２の外部から非整列状態で受け入れる受入部分１４ａと、受入部分１４ａに非整列状態で受け入れられた硬貨Ｃを筐体１２の内部に向かって搬送する搬送ベルト１４ｂと、搬送ベルト１４ｂと僅かな隙間を隔てて設けられ、当該隙間において搬送ベルト１４ｂによる硬貨Ｃの搬送方向と逆方向（図３の矢印方向）に回転する逆転ローラ１４ｃとを有している。ここで、搬送ベルト１４ｂおよび逆転ローラ１４ｃにより、受入部分１４ａに受け入れられた硬貨Ｃを筐体１２の内部に１枚ずつ繰り込む繰込機構が構成されている。
【００２３】
筐体１２の内部には搬送部１８が設けられている。この搬送部１８は、第１の硬貨投入部１４の繰込機構により筐体１２の内部に繰り込まれた硬貨を１枚ずつ搬送するようになっている。図３に示すように、搬送部１８は複数の搬送ベルトを有している。図２および図３に示すように、この搬送部１８には、当該搬送部１８により搬送される硬貨の識別計数を行う識別部２０が介設されている。
【００２４】
図１等に示すように、第２の硬貨投入部１６は、筐体１２の外部から硬貨が１枚ずつ整列状態で投入されるよう構成されている。この第２の硬貨投入部１６の開口部分の大きさは、硬貨釣銭機１０の筐体１２の内部に投入されるべき硬貨よりもわずかに大きなものとなっている。図３に示すように、第２の硬貨投入部１６は、この第２の硬貨投入部１６に投入された硬貨が搬送部１８における第１の硬貨投入部１４と識別部２０との間に送られるよう構成されている。より具体的には、第２の硬貨投入部１６に投入された硬貨は、搬送部１８における識別部２０の近傍に送られるようになっている。すなわち、第２の硬貨投入部１６に投入された硬貨は、すぐに識別部２０により識別計数されるようになっている。
【００２５】
図２に示すように、搬送部１８における識別部２０よりも下流側には分岐部２３が設けられている。識別部２０により正常な硬貨であると識別された硬貨は、分岐部２３から入金搬送部２６に送られるようになっている。一方、識別部２０により正常な硬貨ではないと識別された硬貨（リジェクト硬貨）は、分岐部２３から直接硬貨払出部３０に送られるようになっている。
【００２６】
図２に示すように、筐体１２の内部には、硬貨の収納を金種別に行う収納部２４が設けられている。この収納部２４は、各金種に対応する複数の収納部部分２４ａ〜２４ｆを有しており、各収納部部分２４ａ〜２４ｆに、それぞれ対応する金種の硬貨が収納されるようになっている。分岐部２３から入金搬送部２６に送られた硬貨は、金種別に収納部２４の各収納部部分２４ａ〜２４ｆに収納されるようになっている。また、収納部２４の各収納部部分２４ａ〜２４ｆには出金搬送部２８が接続されており、これらの各収納部部分２４ａ〜２４ｆに収納された硬貨は出金搬送部２８を介して硬貨払出部３０に釣銭として出金されるようになっている。
【００２７】
次に、このような構成からなる硬貨釣銭機１０の動作について説明する。
【００２８】
オペレータが顧客から紙幣や硬貨を預かったり、オペレータが収納部２４に釣銭としての硬貨を補充したりする場合には、オペレータは、硬貨を硬貨釣銭機１０の内部に投入する。具体的には、顧客から預かった硬貨の枚数が多い場合や、収納部２４に釣銭としての硬貨を補充する場合には、オペレータは第１の硬貨投入部１４に硬貨を投入する。第１の硬貨投入部１４に投入された硬貨は受入部分１４ａに受け入れられ、搬送ベルト１４ｂおよび逆転ローラ１４ｃからなる繰込機構により筐体１２の内部に１枚ずつ繰り込まれる。筐体１２の内部に繰り込まれた硬貨は搬送部１８により１枚ずつ搬送され、識別部２０によりこの硬貨の識別計数が行われる。識別部２０により識別された硬貨が正常な硬貨である場合には、この硬貨は分岐部２３から入金搬送部２６に送られ、当該硬貨の金種に対応する収納部２４の収納部部分２４ａ〜２４ｆに収納される。一方、識別部２０により正常な硬貨ではないと識別された硬貨（リジェクト硬貨）は、分岐部２３から直接硬貨払出部３０に送られる。
【００２９】
一方、オペレータが顧客から預かった硬貨の枚数が少ない場合には、オペレータは第２の硬貨投入部１６に硬貨を投入する。この第２の硬貨投入部１６に投入された硬貨は搬送部１８からすぐに識別部２０に送られ、この識別部２０で識別計数されることとなる。識別部２０により識別された硬貨は、前述のように、当該硬貨の金種に対応する収納部２４の収納部部分２４ａ〜２４ｆに収納されるか、あるいは分岐部２３から直接硬貨払出部３０に送られる。
【００３０】
その後、顧客に釣銭としての硬貨を返却する場合には、硬貨釣銭機１０の識別部２０による硬貨の計数結果と、紙幣釣銭機による紙幣の計数結果と、実際の購入品の合計金額とにより釣銭額が算出される。そして、釣銭としての硬貨が収納部２４の各収納部部分２４ａ〜２４ｆから出金搬送部２８に繰り込まれ、出金搬送部２８から硬貨払出部３０に硬貨が送られる。オペレータは、硬貨払出部３０に出金された硬貨を釣銭として顧客に返却する。
【００３１】
以上のように本実施の形態の硬貨釣銭機１０によれば、１または複数の硬貨を筐体１２の外部から受け入れるとともにこの受け入れられた硬貨を筐体１２の内部に１枚ずつ繰り込む第１の硬貨投入部１４の他に、筐体１２の外部から硬貨が１枚ずつ投入されるよう構成された第２の硬貨投入部１６が追加的に設けられており、識別部２０は、第１の硬貨投入部１４に投入された硬貨に加えて、第２の硬貨投入部１６に投入された硬貨の識別計数を行うようになっている。このため、例えば顧客から預かった硬貨の枚数が少ない場合には、この硬貨を第２の硬貨投入部１６に１枚ずつ投入することにより、第２の硬貨投入部１６に投入された硬貨をすぐに識別部２０により識別計数することができる。ここで、複数の硬貨を一度に受け入れるとともにこの受け入れられた硬貨を繰込機構により１枚ずつ筐体１２の内部に繰り込むような第１の硬貨投入部１４に硬貨を投入する場合と比較して、第２の硬貨投入部１６に硬貨を投入した場合には、非整列状態にある複数の硬貨を繰込機構により１枚ずつ筐体１２の内部に繰り込むための時間を省くことができる分、より迅速に識別部２０により硬貨の識別計数を行うことができる。
【００３２】
また、本実施の形態の硬貨釣銭機１０においては、図３に示すように、第２の硬貨投入部１６は、この第２の硬貨投入部１６に投入された硬貨が搬送部１８における第１の硬貨投入部１４と識別部２０との間に送られるよう構成されている。より具体的には、第２の硬貨投入部１６に投入された硬貨は、搬送部１８における識別部２０の近傍に送られるようになっている。このことにより、第２の硬貨投入部１６に投入された硬貨は、すぐに識別部２０により識別計数することができる。
【００３３】
第２の実施の形態
次に、図面を参照して本発明の第２の実施の形態について説明する。ここで、図４乃至図７は、本実施の形態に係る硬貨釣銭機を示す図である。このうち、図４は、本実施の形態による硬貨釣銭機の構成を示す斜視図であり、図５は、図４に示す硬貨釣銭機の内部の構成を示す構成図である。また、図６は、図４に示す硬貨釣銭機における第１の硬貨投入部、第２の硬貨投入部、搬送部および識別部の構成を示す概略側面図であり、図７は、図６に示す硬貨釣銭機のＡ−Ａ矢視による側面図である。図４乃至図７に示す第２の実施の形態の硬貨釣銭機において、図１乃至図３に示す第１の実施の形態の硬貨釣銭機と同一部分には同一符号を付して詳細な説明を省略する。
【００３４】
本実施の形態に係る硬貨釣銭機４０は、図１乃至図３に示す硬貨釣銭機１０と比較して、概ね第１の硬貨投入部および第２の硬貨投入部の構成が異なるのみであり、他は実質的に図１乃至図３に示す硬貨釣銭機１０と同様の構成を有している。本実施の形態に係る硬貨釣銭機４０について以下に説明する。
【００３５】
硬貨釣銭機４０は、筐体１２の外部から硬貨がそれぞれ投入される第１の硬貨投入部４４および第２の硬貨投入部４６を備えている。
【００３６】
第１の硬貨投入部４４は、１または複数の硬貨を筐体１２の外部から受け入れるとともにこの受け入れられた硬貨を筐体１２の内部に１枚ずつ繰り込むようになっている。より具体的には、図６に示すように、第１の硬貨投入部４４は、１または複数の硬貨Ｃを筐体１２の外部から非整列状態で受け入れる受入部分４４ａと、受入部分４４ａに非整列状態で受け入れられた硬貨Ｃを筐体１２の内部に向かって搬送する搬送ベルト４４ｂと、搬送ベルト４４ｂと僅かな隙間を隔てて設けられ、当該隙間において搬送ベルト４４ｂによる硬貨Ｃの搬送方向と逆方向（図６の矢印方向）に回転する逆転ローラ４４ｃとを有している。ここで、搬送ベルト４４ｂおよび逆転ローラ４４ｃにより、受入部分４４ａに受け入れられた硬貨Ｃを筐体１２の内部に１枚ずつ繰り込む繰込機構が構成されている。
【００３７】
第２の硬貨投入部４６は、筐体１２の外部から硬貨が１枚ずつ整列状態で投入されるよう構成されている。図４等に示すように、第２の硬貨投入部４６は第１の硬貨投入部４４の近傍に設けられており、この第２の硬貨投入部４６に投入された硬貨は第１の硬貨投入部４４の受入部分４４ａに送られるようになっている。より具体的には、第２の硬貨投入部４６は、オペレータにより硬貨が投入される硬貨投入口４６ａと、硬貨投入口４６ａに投入された硬貨が自重により下方に向かって搬送される硬貨搬送路４６ｂと、第１の硬貨投入部４４の受入部分４４ａの側壁に設けられた硬貨放出口４６ｃとを有している。硬貨投入口４６ａの開口部分の大きさは、硬貨釣銭機４０の筐体１２の内部に投入されるべき硬貨よりもわずかに大きなものとなっている。第２の硬貨投入部４６において、硬貨投入口４６ａに投入された硬貨は硬貨搬送路４６ｂで搬送されて硬貨放出口４６ｃから放出され、最終的に受入部分４４ａに送られるようになっている。
【００３８】
また、図６および図７に示すように、第２の硬貨投入部４６の近傍には識別部２１が追加的に設けられている。この識別部２１は、搬送部１８に介設された識別部２０と同様に、第２の硬貨投入部４６の硬貨搬送路４６ｂで搬送される硬貨の識別計数を行うようになっている。すなわち、第２の硬貨投入部４６の硬貨投入口４６ａに投入された硬貨は、すぐに識別部２１により識別計数されるようになっている。
【００３９】
ここで、本実施の形態においては、２つの識別部２０、２１のうち、搬送部１８に介設された識別部２０を第１の識別部分とし、第２の硬貨投入部４６の近傍に設けられた識別部２１を第２の識別部分とする。
【００４０】
次に、このような構成からなる硬貨釣銭機４０の動作について説明する。
【００４１】
オペレータが顧客から紙幣や硬貨を預かったり、オペレータが収納部２４に釣銭としての硬貨を補充したりする場合には、オペレータは、硬貨を硬貨釣銭機４０の内部に投入する。具体的には、顧客から預かった硬貨の枚数が多い場合や、収納部２４に釣銭としての硬貨を補充する場合には、オペレータは第１の硬貨投入部４４に硬貨を投入する。第１の硬貨投入部４４に投入された硬貨は受入部分４４ａに受け入れられ、搬送ベルト４４ｂおよび逆転ローラ４４ｃからなる繰込機構により筐体１２の内部に１枚ずつ繰り込まれる。筐体１２の内部に繰り込まれた硬貨は搬送部１８により１枚ずつ搬送され、識別部２０によりこの硬貨の識別計数が行われる。識別部２０により識別された硬貨が正常な硬貨である場合には、この硬貨は分岐部２３から入金搬送部２６に送られ、当該硬貨の金種に対応する収納部２４の収納部部分２４ａ〜２４ｆに収納される。一方、識別部２０により正常な硬貨ではないと識別された硬貨（リジェクト硬貨）は、分岐部２３から直接硬貨払出部３０に送られる。
【００４２】
その後、顧客に釣銭としての硬貨を返却する場合には、硬貨釣銭機４０の識別部２０による硬貨の計数結果と、紙幣釣銭機による紙幣の計数結果と、実際の購入品の合計金額とにより釣銭額が算出される。そして、釣銭としての硬貨が収納部２４の各収納部部分２４ａ〜２４ｆから出金搬送部２８に繰り込まれ、出金搬送部２８から硬貨払出部３０に硬貨が送られる。オペレータは、硬貨払出部３０に出金された硬貨を釣銭として顧客に返却する。
【００４３】
一方、オペレータが顧客から預かった硬貨の枚数が少ない場合には、オペレータは第２の硬貨投入部４６の硬貨投入口４６ａに硬貨を投入する。この第２の硬貨投入部４６の硬貨投入口４６ａに投入された硬貨は硬貨搬送路４６ｂで搬送されて硬貨放出口４６ｃから受入部分４４ａに送られる。ここで、第２の硬貨投入部４６の硬貨投入口４６ａに投入された硬貨が硬貨搬送路４６ｂで搬送される際に、この硬貨は識別部２１により識別計数される。
【００４４】
そして、硬貨釣銭機４０の識別部２１による硬貨の計数結果と、紙幣釣銭機による紙幣の計数結果と、実際の購入品の合計金額とにより釣銭額が算出される。そして、釣銭としての硬貨が収納部２４の各収納部部分２４ａ〜２４ｆから出金搬送部２８に繰り込まれ、出金搬送部２８から硬貨払出部３０に硬貨が送られる。オペレータは、硬貨払出部３０に出金された硬貨を釣銭として顧客に返却する。第２の硬貨投入部４６から第１の硬貨投入部４４の受入部分４４ａに送られ、この受入部分４４ａに保留された硬貨は、制御端末機から硬貨釣銭機４０の第１の硬貨投入部４４に硬貨繰込開始信号が送られたときに、第１の硬貨投入部４４の繰込機構により筐体１２の内部に１枚ずつ繰り込まれる。その後、筐体１２の内部に繰り込まれた硬貨は搬送部１８により１枚ずつ搬送され、識別部２０によりこの硬貨の識別計数が行われる。
【００４５】
なお、オペレータにより第２の硬貨投入部４６に硬貨が投入された場合には、識別部２０による硬貨の識別計数の結果と、識別部２１による硬貨の識別計数の結果とが一致しているか否かが判断される。そして、両者の識別計数の結果が一致していない場合には、制御端末機により音声または画面の表示にてオペレータに警報が送られたり、制御端末機からホストサーバにこの情報が送られたりするようになっている。
【００４６】
以上のように本実施の形態の硬貨釣銭機４０によれば、第２の硬貨投入部４６は、この第２の硬貨投入部４６に投入された硬貨が第１の硬貨投入部４４の受入部分４４ａに送られるよう構成されている。そして、搬送部１８に介設された識別部２０の他に、第２の硬貨投入部４６の近傍に識別部２１が追加的に設けられており、第２の硬貨投入部４６に投入された硬貨の識別計数が識別部２１により行われるようになっている。このため、例えば顧客から預かった硬貨の枚数が少ない場合には、この硬貨を第２の硬貨投入部４６に１枚ずつ投入することにより、第２の硬貨投入部４６に投入された硬貨をすぐに識別部２１により識別計数することができる。ここで、第２の硬貨投入部４６に硬貨を投入した場合には、即座に識別部２１により投入硬貨の識別計数を行うことができるため、第１の硬貨投入部４４に直接硬貨を投入した場合と比較して、非整列状態にある複数の硬貨を繰込機構により１枚ずつ筐体１２の内部に繰り込むための時間を省くことができる分、より迅速に識別部２０により硬貨の識別計数を行うことができる。
【００４７】
また、第２の硬貨投入部４６に硬貨が投入されたときに、識別部２０による硬貨の識別計数の結果と、識別部２１による硬貨の識別計数の結果とが一致しているか否かが判断されるようになっている。ここで、基本的には、第２の硬貨投入部４６を使用するときには、第１の硬貨投入部４４に直接的に硬貨を投入することがないが、第２の硬貨投入部４６を使用するときに誤って第１の硬貨投入部４４に直接的に硬貨を投入した場合には、このことを検出することができる。
【００４８】
また、第２の硬貨投入部４６に硬貨が投入されたときに、当該第２の硬貨投入部４６から第１の硬貨投入部４４の受入部分４４ａに送られた硬貨は、第１の硬貨投入部４４に硬貨繰込開始信号が送られたときにはじめて繰込機構によって筐体１２の内部に１枚ずつ繰り込まれるようになっている。このため、第２の硬貨投入部４６から第１の硬貨投入部４４の受入部分４４ａに送られた硬貨は受入部分４４ａで一時的に保留されることとなるため、第１の硬貨投入部４４の受入部分４４ａを一時保留部として使用することができるようになる。
【００４９】
なお、本実施の形態における硬貨釣銭機４０において、第１の硬貨投入部４４の受入部分４４ａを開閉自在に塞ぐ蓋部（図示せず）を設けてもよい。このような蓋部を設けた場合には、店舗の営業期間中は蓋部により第１の硬貨投入部４４の受入部分４４ａを塞ぎ、オペレータは顧客から預かった硬貨をその枚数の大小に関係なく第２の硬貨投入部４６に投入するようになる。一方、硬貨釣銭機４０の収納部２４に釣銭としての硬貨を補充する場合には、蓋部を開いて第１の硬貨投入部４４の受入部分４４ａに直接的に硬貨を投入し、この受入部分４４ａに投入された硬貨を筐体１２の内部に繰り込むことにより収納部２４の各収納部部分２４ａ〜２４ｆに硬貨を金種別に収納させる。
【００５０】
第３の実施の形態
次に、図面を参照して本発明の第３の実施の形態について説明する。ここで、図８乃至図１２は、本実施の形態に係る硬貨釣銭機を示す図である。このうち、図８は、本実施の形態による硬貨釣銭機の構成を示す斜視図であり、図９は、図８に示す硬貨釣銭機の内部の構成を示す構成図である。また、図１０は、図８に示す硬貨釣銭機における第１の硬貨投入部、第２の硬貨投入部、搬送部、識別部および蓋部の構成を示す概略側面図である。また、図１１は、図１０に示す硬貨釣銭機のＢ−Ｂ矢視による側面図であって、シャッター部材が閉止位置にあるときの状態を示す図であり、図１２は、図１０に示す硬貨釣銭機のＢ−Ｂ矢視による側面図であって、シャッター部材が開口位置にあるときの状態を示す図である。図８乃至図１２に示す第３の実施の形態の硬貨釣銭機において、図１乃至図３に示す第１の実施の形態の硬貨釣銭機と同一部分には同一符号を付して詳細な説明を省略する。
【００５１】
本実施の形態に係る硬貨釣銭機５０は、図１乃至図３に示す硬貨釣銭機１０と比較して、概ね第１の硬貨投入部および第２の硬貨投入部の構成が異なるのみであり、他は実質的に図１乃至図３に示す硬貨釣銭機１０と同様の構成を有している。本実施の形態に係る硬貨釣銭機５０について以下に説明する。
【００５２】
硬貨釣銭機５０は、筐体１２の外部から硬貨がそれぞれ投入される第１の硬貨投入部５４および第２の硬貨投入部５６と、第１の硬貨投入部５４の受入部分５４ａを開閉自在に塞ぐ蓋部５８とを備えている。
【００５３】
第１の硬貨投入部５４は、１または複数の硬貨を筐体１２の外部から受け入れるとともにこの受け入れられた硬貨を筐体１２の内部に１枚ずつ繰り込むようになっている。より具体的には、図１０に示すように、第１の硬貨投入部５４は、１または複数の硬貨Ｃを筐体１２の外部から非整列状態で受け入れる受入部分５４ａと、受入部分５４ａに非整列状態で受け入れられた硬貨Ｃを筐体１２の内部に向かって搬送する搬送ベルト５４ｂと、搬送ベルト５４ｂと僅かな隙間を隔てて設けられ、当該隙間において搬送ベルト５４ｂによる硬貨Ｃの搬送方向と逆方向（図１０の矢印方向）に回転する逆転ローラ５４ｃとを有している。ここで、搬送ベルト５４ｂおよび逆転ローラ５４ｃにより、受入部分５４ａに受け入れられた硬貨Ｃを筐体１２の内部に１枚ずつ繰り込む繰込機構が構成されている。
【００５４】
図８等に示すように、第１の硬貨投入部５４の受入部分５４ａを開閉自在に塞ぐ蓋部５８はシャッター部材から構成されている。より具体的には、蓋部５８は、略直方体形状の本体部分５８ａと、本体部分５８ａを案内するガイドレール５８ｂとを有している。本体部分５８ａは、ガイドレール５８ｂに沿って、第１の硬貨投入部５４の受入部分５４ａを塞ぐような閉止位置（図８や図１１参照）と、この受入部分５４ａを開く開口位置（図１２参照）との間で摺動自在となっている。すなわち、蓋部５８の本体部分５８ａは、ガイドレール５８ｂに沿って図８の矢印方向に往復移動するようになっている。
【００５５】
第２の硬貨投入部５６は、筐体１２の外部から硬貨が１枚ずつ投入されるよう構成されている。図１０等に示すように、第２の硬貨投入部５６は蓋部５８に設けられている。そして、蓋部５８の本体部分５８ａが図８や図１１に示すような閉止位置にあるときにおいて、第２の硬貨投入部５６に投入された硬貨は第１の硬貨投入部５４の受入部分５４ａに送られるようになっている。より具体的には、第２の硬貨投入部５６は、蓋部５８の上面に設けられオペレータにより硬貨が投入される硬貨投入口５６ａと、硬貨投入口５６ａに投入された硬貨が自重により下方に向かって搬送される硬貨搬送路５６ｂと、蓋部５８の下面に設けられた硬貨放出口５６ｃとを有している。硬貨投入口５６ａの開口部分の大きさは、硬貨釣銭機５０の筐体１２の内部に投入されるべき硬貨よりもわずかに大きなものとなっている。第２の硬貨投入部５６において、硬貨投入口５６ａに投入された硬貨は硬貨搬送路５６ｂで搬送されて硬貨放出口５６ｃから放出され、最終的に受入部分５４ａに送られるようになっている。
【００５６】
蓋部５８の本体部分５８ａが図１２に示すような開口位置にあるときには、１または複数の硬貨が筐体１２の外部から第１の硬貨投入部５４の受入部分５４ａに直接的に受け入れられるようになっている。一方、蓋部５８の本体部分５８ａが図８や図１１に示すような閉止位置にあるときには、筐体１２の外部から硬貨が１枚ずつ第２の硬貨投入部５６に投入され、この投入された硬貨は第１の硬貨投入部５４の受入部分５４ａに送られるようになっている。
【００５７】
また、図１０乃至図１２に示すように、蓋部５８には識別部２２が追加的に設けられている。この識別部２２は、搬送部１８に介設された識別部２０と同様に、第２の硬貨投入部５６の硬貨搬送路５６ｂで搬送される硬貨の識別計数を行うようになっている。すなわち、第２の硬貨投入部５６の硬貨投入口５６ａに投入された硬貨は、すぐに識別部２２により識別計数されるようになっている。
【００５８】
ここで、本実施の形態においては、２つの識別部２０、２２のうち、搬送部１８に介設された識別部２０を第１の識別部分とし、蓋部５８に設けられた識別部２２を第２の識別部分とする。
【００５９】
次に、このような構成からなる硬貨釣銭機５０の動作について説明する。
【００６０】
オペレータが顧客から紙幣や硬貨を預かったり、オペレータが収納部２４に釣銭としての硬貨を補充したりする場合には、オペレータは、硬貨を硬貨釣銭機５０の内部に投入する。具体的には、顧客から預かった硬貨の枚数が多い場合や、収納部２４に釣銭としての硬貨を補充する場合には、蓋部５８を図１２に示すような開口位置に移動させ、オペレータは第１の硬貨投入部５４に硬貨を投入する。第１の硬貨投入部５４に投入された硬貨は受入部分５４ａに受け入れられ、搬送ベルト５４ｂおよび逆転ローラ５４ｃからなる繰込機構により筐体１２の内部に１枚ずつ繰り込まれる。筐体１２の内部に繰り込まれた硬貨は搬送部１８により１枚ずつ搬送され、識別部２０によりこの硬貨の識別計数が行われる。識別部２０により識別された硬貨が正常な硬貨である場合には、この硬貨は分岐部２３から入金搬送部２６に送られ、当該硬貨の金種に対応する収納部２４の収納部部分２４ａ〜２４ｆに収納される。一方、識別部２０により正常な硬貨ではないと識別された硬貨（リジェクト硬貨）は、分岐部２３から直接硬貨払出部３０に送られる。
【００６１】
その後、顧客に釣銭としての硬貨を返却する場合には、硬貨釣銭機５０の識別部２０による硬貨の計数結果と、紙幣釣銭機による紙幣の計数結果と、実際の購入品の合計金額とにより釣銭額が算出される。そして、釣銭としての硬貨が収納部２４の各収納部部分２４ａ〜２４ｆから出金搬送部２８に繰り込まれ、出金搬送部２８から硬貨払出部３０に硬貨が送られる。オペレータは、硬貨払出部３０に出金された硬貨を釣銭として顧客に返却する。
【００６２】
一方、オペレータが顧客から預かった硬貨の枚数が少ない場合には、蓋部５８を図１０や図１１に示すような閉止位置に移動させ、オペレータは第２の硬貨投入部５６の硬貨投入口５６ａに硬貨を投入する。なお、店舗の営業期間中において、蓋部５８は図１０や図１１に示すような閉止位置に常時位置するようになっていてもよい。この場合は、オペレータは顧客から預かった硬貨をその枚数の大小に関係なく第２の硬貨投入部５６に投入することとなる。また、この場合、硬貨釣銭機４０の収納部２４に釣銭としての硬貨を補充するときにのみ、蓋部５８を図１２に示すような開口位置に移動させることとなる。
【００６３】
第２の硬貨投入部５６の硬貨投入口５６ａに投入された硬貨は硬貨搬送路５６ｂで搬送されて硬貨放出口５６ｃから受入部分５４ａに送られる。ここで、第２の硬貨投入部５６の硬貨投入口５６ａに投入された硬貨が硬貨搬送路５６ｂで搬送される際に、この硬貨は識別部２２により識別計数される。
【００６４】
そして、硬貨釣銭機５０の識別部２２による硬貨の計数結果と、紙幣釣銭機による紙幣の計数結果と、実際の購入品の合計金額とにより釣銭額が算出される。そして、釣銭としての硬貨が収納部２４の各収納部部分２４ａ〜２４ｆから出金搬送部２８に繰り込まれ、出金搬送部２８から硬貨払出部３０に硬貨が送られる。オペレータは、硬貨払出部３０に出金された硬貨を釣銭として顧客に返却する。第２の硬貨投入部５６から第１の硬貨投入部５４の受入部分５４ａに送られ、この受入部分５４ａに保留された硬貨は、制御端末機から硬貨釣銭機５０の第１の硬貨投入部５４に硬貨繰込開始信号が送られたときに、第１の硬貨投入部５４の繰込機構により筐体１２の内部に１枚ずつ繰り込まれる。その後、筐体１２の内部に繰り込まれた硬貨は搬送部１８により１枚ずつ搬送され、識別部２０によりこの硬貨の識別計数が行われる。
【００６５】
なお、オペレータにより第２の硬貨投入部５６に硬貨が投入された場合には、識別部２０による硬貨の識別計数の結果と、識別部２２による硬貨の識別計数の結果とが一致しているか否かが判断される。そして、両者の識別計数の結果が一致していない場合には、制御端末機により音声または画面の表示にてオペレータに警報が送られたり、制御端末機からホストサーバにこの情報が送られたりするようになっている。
【００６６】
以上のように本実施の形態の硬貨釣銭機５０によれば、第１の硬貨投入部５４の受入部分５４ａを開閉自在に塞ぐ蓋部５８が設置されており、第２の硬貨投入部５６は蓋部５８に設けられており、蓋部５８が受入部分５４ａを塞ぐような閉止位置にあるときにこの第２の硬貨投入部５６に投入された硬貨が第１の硬貨投入部５４の受入部分５４ａに送られるようになっている。そして、搬送部１８に介設された識別部２０の他に、蓋部５８に識別部２２が追加的に設けられており、第２の硬貨投入部５６に投入された硬貨の識別計数が識別部２２により行われるようになっている。このため、例えば顧客から預かった硬貨の枚数が少ない場合には、この硬貨を第２の硬貨投入部５６に１枚ずつ投入することにより、第２の硬貨投入部５６に投入された硬貨をすぐに識別部２２により識別計数することができる。ここで、第２の硬貨投入部５６に硬貨を投入した場合には、第１の硬貨投入部５４に硬貨を投入した場合と比較して、非整列状態にある複数の硬貨を繰込機構により１枚ずつ筐体１２の内部に繰り込むための時間を省くことができる分、より迅速に識別部２２により硬貨の識別計数を行うことができる。
【００６７】
また、第２の硬貨投入部５６に硬貨が投入されたときに、識別部２０による硬貨の識別計数の結果と、識別部２２による硬貨の識別計数の結果とが一致しているか否かが判断されるようになっている。ここで、基本的には、第２の硬貨投入部５６を使用するときには、第１の硬貨投入部５４に直接的に硬貨を投入することがないが、第２の硬貨投入部５６を使用するときに誤って第１の硬貨投入部５４に直接的に硬貨を投入した場合には、このことを検出することができる。
【００６８】
また、第２の硬貨投入部５６に硬貨が投入されたときに、当該第２の硬貨投入部５６から第１の硬貨投入部５４の受入部分５４ａに送られた硬貨は、第１の硬貨投入部５４に硬貨繰込開始信号が送られたときにはじめて繰込機構によって筐体１２の内部に１枚ずつ繰り込まれるようになっている。このため、第２の硬貨投入部５６から第１の硬貨投入部５４の受入部分５４ａに送られた硬貨は受入部分５４ａで一時的に保留されることとなるため、第１の硬貨投入部５４の受入部分５４ａを一時保留部として使用することができるようになる。
【００６９】
なお、本実施の形態における硬貨釣銭機において、第１の硬貨投入部５４の受入部分５４ａを開閉自在に塞ぐ蓋部は、図８乃至図１２に示すようなシャッター部材からなるものに限定されることはない。次に、図１３および図１４により、本実施の形態における硬貨釣銭機の他の例について説明する。ここで、図１３は、本実施の形態による硬貨釣銭機の他の構成を示す斜視図であり、図１４は、図１３に示す硬貨釣銭機における第１の硬貨投入部、第２の硬貨投入部および蓋部の構成を示す概略側面図である。
【００７０】
図１３および図１４に示すような硬貨釣銭機６０においては、蓋部はシャッター部材ではなく、蝶番により筐体１２に取り付けられた蓋部材から構成されている。より具体的には、図１３および図１４に示すような硬貨釣銭機６０における蓋部６２は、略直方体形状の本体部分６２ａと、本体部分６２ａを筐体１２に取り付けるための蝶番６２ｂとから構成されている。そして、本体部分６２ａは筐体１２に対して蝶番６２ｂを中心として図１３や図１４の矢印方向に往復移動するようになっている。
【００７１】
また、図１３や図１４に示すように、第２の硬貨投入部５６は蓋部６２に設けられている。そして、蓋部６２の本体部分６２ａが図１３や図１４に示すような閉止位置にあるときにおいて、第２の硬貨投入部５６に投入された硬貨は第１の硬貨投入部５４の受入部分５４ａに送られるようになっている。
【００７２】
図１３および図１４に示すような硬貨釣銭機６０においても、蓋部６２の本体部分６２ａを移動させて第１の硬貨投入部５４の受入部分５４ａを開いたときには、１または複数の硬貨が筐体１２の外部から第１の硬貨投入部５４の受入部分５４ａに直接的に受け入れられる。一方、蓋部６２の本体部分６２ａが図１３や図１４に示すような閉止位置にあるときには、筐体１２の外部から硬貨が１枚ずつ第２の硬貨投入部５６に投入され、この投入された硬貨は第１の硬貨投入部５４の受入部分５４ａに送られる。
【００７３】
このように、図１３および図１４に示すような硬貨釣銭機６０でも、図８乃至図１２に示すような硬貨釣銭機５０と同様に、第２の硬貨投入部５６は蓋部６２に設けられており、蓋部６２が第１の硬貨投入部５４の受入部分５４ａを塞ぐような閉止位置にあるときにこの第２の硬貨投入部５６に投入された硬貨が第１の硬貨投入部５４の受入部分５４ａに送られるようになっている。そして、搬送部１８に介設された識別部２０の他に、蓋部６２に識別部２２が追加的に設けられており、第２の硬貨投入部５６に投入された硬貨の識別計数が識別部２２により行われるようになっている。このため、例えば顧客から預かった硬貨の枚数が少ない場合には、この硬貨を第２の硬貨投入部５６に１枚ずつ投入することにより、第２の硬貨投入部５６に投入された硬貨をすぐに識別部２２により識別計数することができる。
【図面の簡単な説明】
【００７４】
【図１】本発明の第１の実施の形態による硬貨釣銭機の構成を示す斜視図である。
【図２】図１に示す硬貨釣銭機の内部の構成を示す構成図である。
【図３】図１に示す硬貨釣銭機における第１の硬貨投入部、第２の硬貨投入部、搬送部および識別部の構成を示す概略側面図である。
【図４】本発明の第２の実施の形態による硬貨釣銭機の構成を示す斜視図である。
【図５】図４に示す硬貨釣銭機の内部の構成を示す構成図である。
【図６】図４に示す硬貨釣銭機における第１の硬貨投入部、第２の硬貨投入部、搬送部および識別部の構成を示す概略側面図である。
【図７】図６に示す硬貨釣銭機のＡ−Ａ矢視による側面図である。
【図８】本発明の第３の実施の形態による硬貨釣銭機の構成を示す斜視図である。
【図９】図８に示す硬貨釣銭機の内部の構成を示す構成図である。
【図１０】図８に示す硬貨釣銭機における第１の硬貨投入部、第２の硬貨投入部、搬送部、識別部および蓋部の構成を示す概略側面図である。
【図１１】図１０に示す硬貨釣銭機のＢ−Ｂ矢視による側面図であって、シャッター部材が閉止位置にあるときの状態を示す図である。
【図１２】図１０に示す硬貨釣銭機のＢ−Ｂ矢視による側面図であって、シャッター部材が開口位置にあるときの状態を示す図である。
【図１３】本発明の第３の実施の形態による硬貨釣銭機の他の構成を示す斜視図である。
【図１４】図１３に示す硬貨釣銭機における第１の硬貨投入部、第２の硬貨投入部および蓋部の構成を示す概略側面図である。
【符号の説明】
【００７５】
１０    硬貨釣銭機
１２    筐体
１４    第１の硬貨投入部
１４ａ  受入部分
１４ｂ  搬送ベルト
１４ｃ  逆転ローラ
１６    第２の硬貨投入部
１８    搬送部
２０〜２２  識別部
２３    分岐部
２４    収納部
２４ａ〜２４ｆ  収納部部分
２６    入金搬送部
２８    出金搬送部
３０    硬貨払出部
４０    硬貨釣銭機
４４    第１の硬貨投入部
４４ａ  受入部分
４４ｂ  搬送ベルト
４４ｃ  逆転ローラ
４６    第２の硬貨投入部
４６ａ  硬貨投入口
４６ｂ  硬貨搬送路
４６ｃ  硬貨放出口
５０    硬貨釣銭機
５４    第１の硬貨投入部
５４ａ  受入部分
５４ｂ  搬送ベルト
５４ｃ  逆転ローラ
５６    第２の硬貨投入部
５６ａ  硬貨投入口
５６ｂ  硬貨搬送路
５６ｃ  硬貨放出口
５８    蓋部
５８ａ  本体部分
５８ｂ  ガイドレール
６０    硬貨釣銭機
６２    蓋部
６２ａ  本体部分
６２ｂ  蝶番
【図１】
2010079389.tif 000003
【図２】
2010079389.tif 000004
【図３】
2010079389.tif 000005
【図４】
2010079389.tif 000006
【図５】
2010079389.tif 000007
【図６】
2010079389.tif 000008
【図７】
2010079389.tif 000009
【図８】
2010079389.tif 000010
【図９】
2010079389.tif 000011
【図１０】
2010079389.tif 000012
【図１１】
2010079389.tif 000013
【図１２】
2010079389.tif 000014
【図１３】
2010079389.tif 000015
【図１４】
2010079389.tif 000016